(57)【要約】【課題】電源タップに接続された負荷装置に対する電源の供給遮断をシーケンス制御可能としかつこのシーケンス制御を電力線搬送通信により制御可能とすること。【解決手段】電力線通信モデム２０と、ＡＣプラグ１２とコンセント口１６ａ−１６ｄとの間に介在するプログラマブルコントローラと２２、を内蔵し、電力線通信モデム２０では電力線搬送通信によりプログラマブルコントローラ２２のプログラムデータを受け取ると共にその受け取ったプログラムデータをプログラマブルコントローラ２２に送り、プログラマブルコントローラ２２では上記プログラムデータに応答してコンセント口１６ａ−１６ｄに接続した機器の電源をオンオフ制御し、これら機器は電源オン状態で電力線搬送通信で受け取る通信データに応答動作可能とした構成。【選択図】図１
2008197755.tif 000002
【特許請求の範囲】
【請求項１】
造営物側コンセント口に接続可能なＡＣプラグと、機器のＡＣプラグの差込接続が可能なコンセント口とを備えた電源タップにおいて、当該電源タップのＡＣプラグに接続された電力線通信モデムと、当該電源タップのＡＣプラグとコンセント口との間に介在するプログラマブルコントローラと、を内蔵し、電力線通信モデムでは電力線搬送通信上でプログラマブルコントローラの制御条件を付加したプログラムデータを受け取ると共にその受け取ったプログラムデータをプログラマブルコントローラに送る一方、プログラマブルコントローラでは上記送られたプログラムデータに応答して上記コンセント口に接続した機器の電源をオンオフ制御できるようになっている、ことを特徴とする電源タップ。
【請求項２】
上記コンセント口に接続した機器は電源オン状態で電力線搬送通信上の通信データに応答動作できるようになっている、ことを特徴とする請求項１に記載の電源タップ。
【請求項３】
イーサネット（登録商標）通信可能な機器が接続可能なイーサネット（登録商標）インターフェースを備え、このイーサネット（登録商標）インターフェースを経由して入力する上記機器からの通信信号にプログラムコントローラの制御信号のプログラムを付加し電力線通信モデムで交流信号に重畳し電力線搬送信号として電力線に伝送可能としたことを特徴とする請求項１または２に記載の電源タップ。
【請求項４】
電力線搬送通信が可能な複数の機器において一方の機器（制御機器）による通信を用いた遠隔制御により他方の機器（被制御機器）の電源をオンオフする遠隔制御方式であって、被制御機器側の造営物側コンセント口に電源タップのＡＣプラグを接続し、この電源タップのコンセント口に被制御機器のＡＣプラグを接続し、制御機器側から電源オンオフ信号を被制御機器側の造営物側コンセント口に接続した電源タップのＡＣプラグに電力線搬送通信し、電源タップ側では上記電源オンオフ信号を電力線通信モデムの介在により得ると共に、この電源オンオフ信号によりプログラマブルコントローラを応答させることにより電源タップのコンセント口に接続した被制御機器に対して電源をオンオフ制御することができるようにした、ことを特徴とする遠隔制御方式。
【請求項５】
上記電源タップに請求項１ないし３のいずれかに記載の電源タップを用いた、ことを特徴とする請求項４に記載の遠隔制御方式。
【発明の詳細な説明】
【技術分野】
【０００１】
本発明は、コンセント口に接続した装置や機械等の負荷装置が電力線搬送通信を行うことを可能としている電源タップに関するものである。
【背景技術】
【０００２】
ＵＳＢ対応機器であるパソコンのＵＳＢポートに接続されるＵＳＢコネクタを備え、そのＵＳＢコネクタに現れる信号に基づいて、周辺機器に電源を供給するコンセント口の通電をオンオフ制御するようにした電源タップが提案されている（特許文献１参照）。
【０００３】
しかしながら、このような電源タップでは、ＵＳＢポート等で電源制御を行うことが可能であるが、パソコン等の通信機器の通信配線や通信制御のためのソフトウエアの設定が煩雑である等の理由から一般に普及されていないのが現状である。
【特許文献１】特開２０００−３３９０７２号公報
【発明の開示】
【発明が解決しようとする課題】
【０００４】
本発明は、配線や制御のためのソフトウエアの設定等の煩雑な作業を要せず、電源タップのコンセント口に接続された機械や装置等に対する電源の供給、遮断等を簡易に行うことができるようにすることである。
【課題を解決するための手段】
【０００５】
本発明による電源タップは、造営物側コンセント口に接続可能なＡＣプラグと、機器のＡＣプラグの差込接続が可能なコンセント口とを備えた電源タップにおいて、当該電源タップのＡＣプラグに接続された電力線通信モデムと、当該電源タップのＡＣプラグとコンセント口との間に介在するプログラマブルコントローラと、を内蔵し、電力線通信モデムでは電力線搬送通信上でプログラマブルコントローラの制御条件を付加したプログラムデータを受け取ると共にその受け取ったプログラムデータをプログラマブルコントローラに送り、プログラマブルコントローラでは上記送られたプログラムデータに応答して上記コンセント口に接続した機器の電源をオンオフ制御できるようになっていることを特徴とするものである。
【０００６】
本発明によると、電源タップのコンセント口に接続された各種機器に対する電源供給、遮断を内蔵プログラマブルコントローラで制御することができると共に電源供給された機器が通信機能を備えた機器であれば電力線搬送通信を行うことができるようになり、電源制御に格別な配線や制御のためのソフトウエアの設定等が要求されずに済み、また、コンセント口に接続された機器は電力線を用いて電力線搬送通信を行うことができる。
【０００７】
上記コンセント口に接続した機器は、電源オンの状態で電力線搬送通信上の通信データを受け取り、これに応答動作できるようになっていることが好ましい。
【０００８】
上記では、イーサネット（登録商標）通信可能な機器が接続可能なイーサネット（登録商標）インターフェースを備え、このイーサネット（登録商標）インターフェースを経由して入力する上記機器からの通信信号にプログラムコントローラの制御信号のプログラムを付加し電力線通信モデムで交流信号に重畳し電力線搬送信号として電力線に伝送可能とすることが好ましい。
【０００９】
この機器は特に限定しないが例えばパーソナルコンピュータを含むことができる。この機器は構内通信ネットワークで接続された内部ネットワーク機器だけでなくインターネットでグローバルに接続された外部ネットワーク機器を含むことができる。ネットワーク機器には単純にパーソナルコンピュータを含むが、これに限定されず、モバイル機器、その他を含むことができる。
【００１０】
この機器はネットワーク通信機能を備えたネットワーク機器に限定されずホーム機器例えば蛍光灯、ヒーター、空調機器等を含むことができる。
【００１１】
本発明による遠隔制御方式は、電力線搬送通信が可能な複数の機器において一方の機器（制御機器）による通信を用いた遠隔制御により他方の機器（被制御機器）の電源をオンオフする遠隔制御方式であって、被制御機器側の造営物側コンセント口に電源タップのＡＣプラグを接続し、この電源タップのコンセント口に被制御機器のＡＣプラグを接続し、制御機器側から電源オンオフ信号を被制御機器側の造営物側コンセント口に接続した電源タップのＡＣプラグに電力線搬送通信し、電源タップ側では上記電源オンオフ信号を電力線通信モデムの介在により得ると共に、この電源オンオフ信号によりプログラマブルコントローラを応答させることにより電源タップのコンセント口に接続した被制御機器に対して電源をオンオフ制御することを特徴とするものである。
【００１２】
本発明によると、電源タップのコンセント口に接続された各種被制御機器に対して制御機器により遠隔位置から電源オンオフを制御することができるので、例えばパーソナルコンピュータを遠隔位置から立ち上げる場合、制御機器側から電力線搬送通信で電源オン信号を送信すれば、パーソナルコンピュータに電源オンし、次いで電力線搬送通信あるいは通常のネットワーク通信で立ち上げることが可能となる。その結果、パーソナルコンピュータを遠隔位置から立ち上げるために、パーソナルコンピュータのＡＣプラグを造営物側コンセント口や電源タップのコンセント口に接続して常時電源オン状態にすることが必要でなくなり、常時電源オン状態としておくことによるセキュリティー性の低下を防止することができるようになる。
【発明の効果】
【００１３】
本発明によれば、電源タップに接続されたパーソナルコンピュータ等のネットワーク機器に対して電源のオンオフを簡易に行うことができると共に電源タップに接続されたコンピュータ等のネットワーク機器との間で電力線搬送通信を行うことができる。
【発明を実施するための最良の形態】
【００１４】
以下、添付図面を参照して、本発明の実施形態に係る電源タップおよびこの電源タップを用いた電源遠隔制御方式を説明すると、図１は、実施の形態の電源タップの構成を示し、図２は、図１の電源タップを用いた電源遠隔制御システムを示す。
【００１５】
図１を参照して、実施の形態の電源タップ１０は、商用電源に接続されるＡＣプラグ１２と、ＡＣプラグ１２を一端側に備えた電源コード１４と、電源コード１４の他端側に接続されかつＡＣプラグ１２から電源コード１４を介して供給されてくる電源が分配される複数のコンセント口１６ａ−１６ｄを有するタップ本体１８と、を備える。
【００１６】
タップ本体１８は、電力線上を伝送する電力線搬送信号（交流電力に機器との通信のための通信データと、プログラマブルコントローラ２２の制御動作に用いるプログラムデータとが重畳されている信号）を処理する電力線通信モデム２０と、電力線通信モデム２０から電力線搬送信号に重畳されているプログラムデータに応答してコンセント口１６ａ−１６ｄに接続された機器に対して電源をオンオフするプログラマブルコントローラ２２と、ＡＣプラグ１２の電力線から供給される交流を直流に変換して電力線通信モデム２０とプログラマブルコントローラ２２にその電源として供給するＡＣ／ＤＣ電源２４と、内部ネットワーク機器である例えばパーソナルコンピュータ２８のＵＳＢコネクタが接続されるイーサネット（登録商標）インターフェース２６と、を備える。コンセント口１６ａ−１６ｄに接続された機器は電源がオンにされている状態で上記通信データを受け取り、通信に応答動作することができる。
【００１７】
電力線通信モデム２０は、電力線搬送信号からバンドパスフィルタで通信帯域の信号を抽出し、オートゲイン制御し増幅したのちＡ／Ｄ変換部にてデジタルデータ化すると共にこの抽出されたデジタルデータに対してデジタル変調部にてフレーム同期検出、等価化、逆符号化、誤り訂正などを行い、受信データとして復調し、復調したデータを伝送インターフェース（ＵＡＲＴ：Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）によりパラレル／シリアル変換してプログラマブルコントローラ２２に出力する。
【００１８】
このような電力線通信モデム２０は、電力線搬送信号から通信データを分離すると共にこの分離した通信信号をイーサネット（登録商標）インターフェース２６を介してパーソナルコンピュータ２６に送信することができる一方、パーソナルコンピュータ２８からもイーサネット（登録商標）インターフェース２６を経由して入力する通信データとプログラマブルコントローラ２２のプログラムデータとを付加しそれらを電力線通信モデム２０により交流電力に重畳して電力線搬送信号としてＡＣプラグ内電力線に配信することができる。
【００１９】
パーソナルコンピュータ２８は、そのＡＣプラグ３０がタップ本体１８のコンセント口１６ａに接続されており、プログラマブルコントローラ２２により電源のオンオフを制御される。これにより、パーソナルコンピュータ２８に対しては遠隔位置からその電源をオンオフ制御することができるので、そのセキュリティ性を高くすることができる。従来では、パーソナルコンピュータのＡＣプラグを造営物側コンセント口や電源タップのコンセント口に接続しておき、常時電源オン状態とすると共に、他のネットワーク機器からイーサネット（登録商標）通信等により電源を立ち上げており、この常時電源オンとしておく必要があった。そのため、従来ではセキュリティー性が低かった。これに対して実施の形態の電源タップを用いた場合、パーソナルコンピュータ２８を、常時電源オン状態としておく必要がなく、必要なときにのみプログラマブルコントローラ２２から電源をオンに制御し、電力線を介して電源の立ち上げを行うことができるようになり、そのセキュリティー性を高くすることができるようになる。
【００２０】
図２を参照して実施の形態の電源タップ１０を用いた遠隔制御システムを説明すると、分電盤３１より下流側である低圧側に複数の造営物側コンセント口３２，３４，３６が接続されている。この造営物側とは屋内の壁や床等に埋設されるコンセント口に限定されず造営物に配置されるコンセント口を含む。
【００２１】
造営物側コンセント口３２には電力線上で交流電力に高周波の信号を重畳して電力線搬送信号を生成処理できる電力線通信ターミナルアダプター３８のＡＣプラグ４０が接続可能になっている。電力線通信ターミナルアダプター３８にはパーソナルコンピュータ４２が内部コンピュータとして接続されている。また造営物側コンセント口３４には、上記と同様、電力線上で交流電力に高周波の信号を重畳して電力線搬送信号を生成処理することができる電力線通信マスターアダプター４４のＡＣプラグ４６が接続可能になっている。電力線通信マスターアダプター４４にはインターネット４８が接続されている。この場合のインターネットに接続されている図示略のコンピュータは外部コンピュータとなる。
【００２２】
造営物側コンセント口３６には実施の形態の電源タップ１０のＡＣプラグ１２が接続可能になっている。電源タップ１０のタップ本体１８内部のイーサネット（登録商標）インターフェース２６にはパーソナルコンピュータ２８のＵＳＢコネクタが接続されている。電源タップ１０のタップ本体１８のコンセント口１６ａにはパーソナルコンピュータ２８のＡＣプラグ３０が接続されている。電源タップ１０のタップ本体１８の他のコンセント口１６ｂ−１６ｄには例えばパーソナルコンピュータの周辺機器（ＨＤＤ等）のＡＣプラグが接続可能になっている。上記パーソナルコンピュータ２８は例えばタッチパネルを備えたＨＭＩ（ヒューマン・マシーン・インターフェース）機器でもよい。
【００２３】
以上の構成において、電力線通信ターミナルアダプター３８によりパーソナルコンピュータ４２からの通信データにプログラマブルコントローラ２２のプログラムデータが付加され交流電力に重畳されて電力線搬送通信信号として造営物側コンセント口３２，３６を介して電源タップ１０のＡＣプラグ１２に伝送される。
【００２４】
電源タップ１０における電力線通信モデム２０では電力線搬送通信信号からプログラマブルコントローラ２２の制御条件が付加されているプログラムデータを受け取り、プログラマブルコントローラ２２に送る。プログラマブルコントローラ２２ではそのプログラムデータに応答して、タップ本体１８のコンセント口１６ａ−１６ｄに接続された各機器への電源オンオフを制御する。そして、プログラマブルコントローラ２２により電源オンされた各機器は電力線搬送通信信号に重畳されている通信データに応答することができるようになっている。
【００２５】
インターネット４８上の外部パーソナルコンピュータ等からも通信データ、プログラムデータが電力線通信マスターアダプター４４により交流電力に重畳された電力線搬送信号として、コンセント口３４，３６を介して、電源タップ１０に送られ、上記同様、電源タップ１０のコンセント口１６ａ−１６ｄに接続されている機器の電源オンオフならびに通信を行うことができる。
【００２６】
以上説明したように本実施の形態では、電源タップ１０のコンセント口１６ａ−１６ｄに接続されたパーソナルコンピュータ２８やその周辺機器等に対して、遠隔のパーソナルコンピュータ４２やインターネット４８経由の外部パーソナルコンピュータやモバイル機器等の制御機器により、遠隔位置から電源オンオフならびに通信を制御することができるので、パーソナルコンピュータ２８のＡＣプラグを造営物側コンセント口や電源タップのコンセント口に接続して常時電源オン状態にすることが必要でなくなり、常時電源オン状態としておくことによるセキュリティー性の低下を防止することができるようになる。
【図面の簡単な説明】
【００２７】
【図１】図１は本発明の実施の形態に係る電源タップの概略構成を示す図である。
【図２】図２は図１の電源タップを用いたコンピュータ間のネットワークを示す図である。
【符号の説明】
【００２８】
１０  電源タップ
１２  ＡＣプラグ
１４  電源コード
１６ａ−１６ｄ  コンセント口
１８  タップ本体
２０  電力線通信モデム
２２  プログラマブルコントローラ
２４  ＡＣ／ＤＣ電源
２６  イーサネット（登録商標）インターフェース
【図１】
2008197755.tif 000003
【図２】
2008197755.tif 000004